(57)【要約】      （修正有）【課題】水切りが良く、尚且つ施工コストと工期を飛躍的に抑えると共に、施工後の体裁も良好な木造ベランダを提供する。【解決手段】躯体の外側にベランダ受け梁を固定し、さらに、該ベランダ受け梁の上部を柵で囲むと共に、該柵の内側面に沿って複数の下地材を起立し、そこに化粧板を張り合わせてなる木造ベランダであって、前記ベランダ受け梁２の内側は、固定金具４によって躯体１側に連結し、またベランダ受け梁２の外側は、吊金物３によって躯体１の上側から連結してあり、さらに前記吊金物３は、下地材６に設けた貫通部７を通過していることを特徴とする。【選択図】図１
2004308274.tif 000002
【特許請求の範囲】
【請求項１】
躯体の外側にベランダ受け梁を固定し、さらに、該ベランダ受け梁の上部を柵で囲むと共に、該柵の内側面に沿って複数の下地材を起立し、そこに化粧板を張り合わせてなる木造ベランダであって、
前記ベランダ受け梁（２）の内側は、固定金具（４）によって躯体（１）側に連結し、またベランダ受け梁（２）の外側は、吊金物（３）によって躯体（１）の上側から連結してあり、
さらに前記吊金物（３）は、下地材（６）に設けた貫通部（７）を通過していることを特徴とする木造ベランダ。
【請求項２】
前記ベランダ受け梁（２）の床面は、躯体（１）の室内側床面よりも低位置に備えていることを特徴とする請求項１記載の木造ベランダ。
【発明の詳細な説明】
【０００１】
【産業上の利用分野】
本発明は、躯体と隣接して設置される木造ベランダに関するものである。
【０００２】
【従来の技術】
木造ベランダは従来、図８に示すように躯体２１内から受け梁２２を外側に延長し、これをベランダ受け梁としていた。このことから従来の木造ベランダの場合は、この床部分の上に水が貯まると、受け梁２２が躯体２１側からベランダにまで延長していることから、最悪の場合には、該受け梁２２を伝って躯体２１内に水が流れていき、この際に染み込んだ水分によって、躯体２１内側の受け梁２２が腐って脆くなり、このことから、受け梁全体の交換を余儀なくされ、修繕にかかるコストが莫大なものとなった。
【０００３】
そして躯体２１内にまで腐食が及んでおらず、前記躯体２１に、改めて木造ベランダを新設する場合には図９に示すように、受け梁２２における躯体２１の外側に突出した部分を切り取って壁面とフラットな状態とし、そこに固定金具を用いて別のベランダ受け梁２４を連結すると共に、該ベランダ受け梁２４の下端面を地面から立ち上げた柱材２３で支持するものであったが、ベランダ受け梁の下端面を地面から柱材で支える構造であったため、外観の体裁を著しく損なわせるものであった。しかも、室内とベランダとを隔てる箇所には、ベランダ受け梁の上に立ち上がり壁が止水用として形成され、これを使用者が跨ぐような状態で出入りしなければならない不都合もあった。
【０００４】
【発明が解決しようとする課題】
そこで前記問題点を鑑みて本発明は、水切りが良く、しかも施工コストと工期を飛躍的に抑えると共に、施工後の体裁も良好な木造ベランダを提供することにある。
【０００５】
【課題を解決するための手段】
本発明は、躯体の外側にベランダ受け梁を固定し、さらに、該ベランダ受け梁の上部を柵で囲むと共に、該柵の内側面に沿って複数の下地材を起立し、そこに化粧板を張り合わせてなる木造ベランダであって、前記ベランダ受け梁の内側は、固定金具によって躯体側に連結し、またベランダ受け梁の外側は、吊金物によって躯体の上側から連結してあり、さらに前記吊金物は、下地材に設けた貫通部を通過していることを特徴とする。
【０００６】
ここで貫通部は、化粧板を支持したままで吊金物が下地材を通過するように設けられるものであればよく、このことから様々な形態のものが想到できるが、具体的には、下地材の上下方向に縦長の貫通孔を設けたり、或いは、下地材の一部を切欠した構成のものなどが挙げられる。また固定金具は、ベランダ受け梁を躯体に連結できるものであれば特に限定するものではなく、例えば、部材同士の連結金具として汎用されているＬ字金具や、或いは、一方の部材に断面コ字型の金具を備え、他方の部材には前記金具が嵌り込む溝を設けてなる接合装置等を適用してもよい。さらにベランダ受け梁の外側とは、躯体を基準として離れた側を指し、また躯体の上側とは、ベランダ受け梁の取付位置よりも高い箇所を指すものである。さらに吊金物によるベランダ受け梁の連結箇所は、該ベランダ受け梁の両側をそれぞれ連結してもよいし、あるいは、片側のみを連結してもよい。
【０００７】
このように形成すると、固定金具によって前記ベランダ受け梁の内側を躯体に隣接するように連結し、さらに躯体の上側からベランダ受け梁の外側部分を吊金物で連結することで、このベランダ受け梁の内外を躯体からバランスよく且つ強固に支持でき、このことから従来のように、受け梁を躯体側からベランダ側に突出させずにすむ。さらに吊金物が、化粧板の下地材を通過する位置において躯体とベランダ受け梁とを連結しているので、前記吊金物が外部に露出しない。
【０００８】
また本発明のうち請求項２記載の発明では、前記ベランダ受梁の床面は、躯体の室内側床面よりも低位置に備えているので、ベランダに降りかかった水が室内側に浸水せず、しかも、室内とベランダとの間に止水用の立ち上がり壁が形成されないので、出入りがスムーズに行なえる。
【０００９】
【発明の実施の形態】
次に、本発明による実施形態について、各図面に基づいて以下に説明する。
図１と図２に基づいて説明すると、本木造ベランダの構成部位のうち、まずベランダ受け梁２は、躯体１を基準とする外側端部を吊金物３により躯体１の上側から支持されると共に、該ベランダ受け梁２内側の下端面は固定金具４によって躯体１と連結している。そして、前記ベランダ受け梁２の上面には柵１３が立てられ、さらに該柵１３の内側面には、躯体１の出入口を除く三方に亘って化粧板５が張り巡らせてあり、この化粧板５は柵１３の内側に沿って起立した下地材６により支持していると共に、前記吊金物３は下地材６に設けた貫通孔７を通過している。
【００１０】
ここで、本発明の木造ベランダが施工される躯体１側の構造については、基礎から屋根にかけて連続する縦柱が立ち上がり、この縦柱に沿って外装材とプラスターボード、断熱材を層状に備えて壁材を形成している。
【００１１】
前記吊金物３は、長さが約２〜４ｍ程度の金属製ロッドの両端に、それぞれリング状をなす受部１１ａ，１１ｂを固着してなるもので、当該各受部１１ａ，１１ｂのうちの一方は、受部１１ａとともに躯体１側の柱材１７を横方向に貫通するようにボルト９を通し、さらに、柱材１７の室内側面に設けた座繰部分に係止板１０をあてがって、前記ボルト９の突出した先端部分をナット締めしてある。また吊金物３の他方側の受部１１ｂも同様に、ベランダ受け梁２の上面、つまり床面側から受部１１ｂの孔とともにボルト９を通し、さらに、該ベランダ受け梁２の下端面側に係止板１０をあてがった後、前記ボルト９の突出した先端部分をナットで締めている。そして、吊金物３はベランダ受け梁２の側部に連結してあり、さらに前記吊金物３は、柵１３の内面側に張られた化粧板５を支持する２本の下地材６を、それぞれ通過するように架け渡している。さらに詳しくは、下地材６の上端側に貫通孔７を設けており、ベランダ受け梁２の中間部において起立した別の下地材６の中央やや下側においても同様に貫通孔７を設けており、各貫通孔７，７に吊金物３を通過させることで、室内側からは化粧板５で隠れて見えなくなることから、木造ベランダの外観の体裁も良好なものとなる（図３、図４参照）。
【００１２】
また、各貫通孔７，７は縦長状をなしており、これは、躯体１へのベランダ受け梁２取付時における、斜めになった吊金物３の角度の変化に対応できるものとなっている。
【００１３】
次に、固定金具４は断面コ字型をなし、支持板１４と、該支持板１４の両側から突出する一対の接合板１５と、からなるもので、このうち支持板１４には、接合板１５が突出する側と反対側に向かって突出する複数の突起部１６を備えており、各突起部１６を躯体１側に埋め込んだ状態で、支持板１４をボルト、ナット、或いはコーチスクリューボルトによる締結手段によって躯体１側に固着するものである。一方、前記各接合板１５は、ベランダ受け梁２の躯体１の内側部分に向かって突入しており、さらに、ベランダ受け梁２の横側からピンを差し込んで該ベランダ受け梁２を躯体１に連結している。
尚、前記固定金具４の場合、あらかじめ躯体１側に取り付けた後にベランダ受け梁２を連結できるので、該ベランダ受け梁２を躯体１に後付しやすく、施工が簡易に行なえる。
【００１４】
そして、上記した吊金物３と固定金具４とによって、躯体１にベランダ受け梁２を連結した場合、このベランダ受け梁２の外側部分を吊金物３によって連結し、一方、前記ベランダ受け梁２の内側を固定金具４によって躯体１側に連結していることで、ベランダ受け梁２をバランス良く躯体１から支持できる。
【００１５】
また図５と図６は、本発明の他の実施形態を示すものであり、この木造ベランダは、まず吊金物３を、２本の金属製ロッドに分割してそれぞれの一端側にネジ溝を設け、さらに、このネジ溝を設けた側の各端部を筒状のハンドル１２にそれぞれ羅合することで、前記吊金物３の伸縮調節を可能にしたものである。また固定金具４は、躯体１の側面とベランダ受け梁２の下端面とに跨る状態でＬ字金具をあてがい、これに複数のピンを差し込んで躯体１とベランダ受け梁２とを連結している。そして、未だ固定金具４を取り付けていない段階にあれば、前記吊金物３のハンドル１２を回すことで、ベランダ受け梁２が躯体１側を軸として上下に揺動し、これにより該ベランダ受け梁２取付後にベランダ床面のレベルの微調整が行なえる。
尚、前記ハンドル１２は、本発明における全ての実施形態のものに適用できる。また、上記した吊金物３は金属製のロッドを使用するものであるが、これは例えば、板状の長部材で連結部分にのみネジ溝が備えてあってもよい。
【００１６】
また、上記実施形態の各下地材６，６には、吊金物３を通過する切欠７，７がそれぞれに設けてあり、このうち、躯体１側に隣接する下地材６の上端には、Ｕ字状の切欠７を設け、一方、ベランダ受け梁２の中間位置から起立する下地材６には、ベランダ受け梁２の内側のみを削り取ったような形状の切欠７を設けている。
【００１７】
さらに、吊金物３によるベランダ受け梁２の吊り位置は、本実施形態では前記ベランダ受け梁２の両側縁付近を吊って連結しているが、図７のように、例えば、ベランダ受け梁２の左右のいずれかの側に躯体１が突き出すような構造であれば、一方のみを吊金物３で連結し、他方は躯体１側から直接固定金物を用いて連結してもよい。
【００１８】
【発明の効果】
本発明のうち請求項１記載の発明によれば、あらかじめベランダ受け梁を躯体の外側に突出することなく、該躯体の適宜な箇所にベランダ受け梁を取り付けることができるので、施工コストと工期を飛躍的に抑えることができ、さらに、躯体とベランダ受け梁との縁から水が流れ落ちて水切りが良好となって耐用期間を飛躍的に延長でき、しかも、躯体側からは吊金物が見えず、地面からの柱材も要しないので、外観の体裁も良好となる。
【００１９】
また、本発明のうち請求項２記載の発明によれば、請求項１記載の効果に加えて、ベランダ受け梁を躯体側の床面よりも低位置に設置すれば、室内側への浸水を確実に防ぐことができ、出入りも不便なく行なえる。
【図面の簡単な説明】
【図１】本発明の木造ベランダの取付状態を説明する縦断面図である。
【図２】図１のＡ−Ａ線を縦断面し、さらに一部を切欠した縦断面図である。
【図３】図１のＢ−Ｂ線横断面図である。
【図４】図３中Ｄを拡大して示す説明図である。
【図５】本発明の他の実施形態を示す縦断面図である。
【図６】図５のＣ−Ｃ線縦断面図である。
【図７】本発明の他の実施形態を示す横断面図である。
【図８】従来の木造ベランダの取付状態を説明する縦断面図である。
【図９】同じく、従来の木造ベランダの取付状態を説明する縦断面図である。
【符号の説明】
１  躯体
２  ベランダ受け梁
３  吊金物
４  固定金具
６  下地材
７  貫通孔、切欠（貫通部）
【図１】
2004308274.tif 000003
【図２】
2004308274.tif 000004
【図３】
2004308274.tif 000005
【図４】
2004308274.tif 000006
【図５】
2004308274.tif 000007
【図６】
2004308274.tif 000008
【図７】
2004308274.tif 000009
【図８】
2004308274.tif 000010
【図９】
2004308274.tif 000011